(57)【要約】【課題】  折り畳み傘の収容袋を使用者において携帯しなくてはならない不便さを解消すると共に、収容袋を紛失することを防止する。【解決手段】傘本体１を折り畳み状態で収容する収容袋１０が附属した折り畳み傘において、上記収容袋は上方に向かって開口する傘挿入口１２を有すると共に、底部に設けた貫通穴１１を傘本体の中棒２に外挿することにより中棒に対し摺動自在の状態でハンドル３上端とランナー６下端間に挿着され、更に挿着した状態で裏返しに反転可能な程度の可撓性と傘挿入口の大きさを備える。【選択図】      図１
0003120917.tif 000002
【実用新案登録請求の範囲】
【請求項１】
傘本体を折り畳み状態で収容する収容袋が附属した折り畳み傘において、上記収容袋は上方に向かって開口する傘挿入口を有すると共に、底部に設けた貫通穴を傘本体の中棒に外挿することにより中棒に対し摺動自在の状態でハンドル上端とランナー下端間に挿着され、更に挿着した状態で裏返しに反転可能な程度の可撓性と傘挿入口の大きさを備えることを特徴する折り畳み傘。
【請求項２】
傘本体を折り畳み状態で収容する収容袋が附属した折り畳み傘において、上記収容袋は上方に向かって開口する傘挿入口を有すると共に、底部をハンドルの下端に固着することによりハンドル及び中棒に対して挿着され、更に挿着した状態で裏返しに反転可能な程度の可撓性と傘挿入口の大きさを備えることを特徴する折り畳み傘。
【請求項３】
収容袋の天井面から両側面中途にかけてＵ字状に開口することにより傘挿入口とすると共に、上記傘挿入口の開口縁同士を係着する手段を設けた請求項１又は２記載の折り畳み傘。
【請求項４】
収容袋の片方の側面の全長方向に開口することにより傘挿入口とすると共に、上記傘挿入口の開口縁同士を係着する手段を設けた請求項１又は２記載の折り畳み傘。
【請求項５】
収容袋の天井面から片方の側面中途にかけてＪ字状に開口することにより傘挿入口とすると共に、上記傘挿入口の開口縁同士を係着する手段を設けた請求項１又は２記載の折り畳み傘。
【請求項６】
収容袋の天井面全面を開口することにより傘挿入口とすると共に、上記傘挿入口の開口縁を巾着状に緊締する手段を設けた請求項１又は２記載の折り畳み傘。
【請求項７】
収容袋の天井面全面を開口することにより傘挿入口とすると共に、上記傘挿入口の開口に対してフラップ状の蓋片を設けた請求項１又は２記載の折り畳み傘。
【考案の詳細な説明】
【技術分野】
【０００１】
この考案は折り畳み傘に関し、より詳細には傘本体を収容する収容袋に改良を加えた折り畳み傘に関する。
【背景技術】
【０００２】
傘本体を折り畳み状態で収容する収容袋が附属した折り畳み傘が公知である（例えば、特許文献１）。
【特許文献１】特開２００１−７０２９１号公報
【考案の開示】
【考案が解決しようとする課題】
【０００３】
上記の折り畳み傘においては収容袋は傘本体とは別体なので、傘の使用時には傘から分離した収容袋を使用者において別途携帯しなくてはならないので煩わしく、又、収納袋を紛失しやすかった。
【課題を解決するための手段】
【０００４】
この考案は以上の従来技術の問題点を解消した折り畳み傘を提供することを目的として創作されたものであり、傘本体を折り畳み状態で収容する収容袋が附属した折り畳み傘において、上記収容袋は上方に向かって開口する傘挿入口を有すると共に、底部に設けた貫通穴を傘本体の中棒に外挿することにより中棒に対し摺動自在の状態でハンドル上端とランナー下端間に挿着され、更に挿着した状態で裏返しに反転可能な程度の可撓性と傘挿入口の大きさを備えることを特徴する。
【０００５】
又、ここでは第２考案として、傘本体を折り畳み状態で収容する収容袋が附属した折り畳み傘において、上記収容袋は上方に向かって開口する傘挿入口を有すると共に、底部をハンドルの下端に固着することによりハンドル及び中棒に対して挿着され、更に挿着した状態で裏返しに反転可能な程度の可撓性と傘挿入口の大きさを備えることを特徴する折り畳み傘も開示する。
【考案の効果】
【０００６】
前記の第１考案の折り畳み傘においては、収容袋は傘の中棒に外挿された状態で傘本体に挿着され、傘の折り畳み時には折り畳まれた傘本体はランナー（ろくろ）側に開口した収容袋の傘挿入口から収容袋内に収容される（図２参照）。そして、傘の使用時には収容袋をハンドル側に裏返しに反転することにより傘の下端に垂らすか（図３参照）、或いは収容袋を中棒に沿ってランナー側まで摺動し、開いた傘のストレッチャー（受骨）に引っ掛ける（図４参照）。よって、収容袋は傘の折り畳み時、使用時にかかわらず傘本体から離れることなく常に傘本体に装着されているので携帯に困ることがなく、又、紛失の心配もない。
【０００７】
同様に第２考案の折り畳み傘においても、収容袋は底部をハン７ルの下端に固着した状態で傘本体に挿着されるが、傘の折り畳み時には傘本体はランナー側に開口した収容袋の傘挿入口から収容袋内に収容される（図１２参照）。そして、傘の使用時には収容袋をハンドルと反対方向に裏返しに反転することにより傘の下端に垂らす（図１３参照）。よって、収容袋は傘の折り畳み時、使用時にかかわらず傘本体から離れることなく常に傘本体に装着されているので携帯に困ることがなく、又、紛失の心配もない。
【考案を実施するための最良の形態】
【０００８】
以下、この考案の具体的実施例を添付図面に基づいて説明する。図１乃至図５はこの考案の折り畳み傘の第１考案の第１実施例を示す図である。図中符号１は傘本体を指す。この傘本体１は、所定の段数に伸縮可能な中棒２、所定の段数に折り畳み可能な骨（親骨）５、中棒に対して摺動するランナー（ろくろ）６と骨間に架けられるストレッチャー（受骨）４、上記の骨に張設される生布７からなる公知の構造のものであり、中棒の下端には持ち手となるハンドル３が着脱自在に設けられる。
【０００９】
図中符号１０は上記の傘本体１を折り畳み状態で収容する収容袋である。上記収容袋１０は裏返しに反転可能な程度の可撓性と傘挿入口の大きさを備えることを要件とするものであり、ここでは可撓性を確保するために布地により縫製される。上記収容袋１０は底部に貫通穴１１が設けられ、この貫通穴を用いて傘本体１の中棒２に外挿することにより中棒に対し摺動自在の状態でハンドル３上端とランナー６下端間に挿着される。尚、ハンドル３はここでは中棒２の下端に対し螺着される（図１参照）。
【００１０】
図中符号１２は上方（ランナー６側）に向かって開口する傘挿入口であり、この実施例においては収容袋１０の天井面から両側面中途にかけてＵ字状に開口することにより、鰐口状に開口する（図５参照）。上記傘挿入口１２の開口縁には開口縁同士を係着する手段が設けられるものであり、ここではそのような手段として雌雄のファスナー１３Ａ、１３Ｂを採用している。
【００１１】
以上の構成からなる折り畳み傘においては、図２に示すように収容袋１０は傘の中棒２に外挿された状態で傘本体に挿着され、傘の折り畳み時には図２に示すように折り畳まれた傘本体はランナー６側に開口した収容袋の傘挿入口１２から収容袋内に収容される。そして、傘の使用時には図３に示すように収容袋１０をハンドル側に裏返しに反転することにより傘の下端に垂らすか、或いは図４に示すように収容袋を中棒２に沿ってランナー側まで摺動し、開いた傘のストレッチャー４に引っ掛ける。
【００１２】
図６及び図７はこの考案の折り畳み傘の第１考案の第２実施例を示す図である。この実施例においては傘収容袋２０の傘挿入口２２の構成が前記第１実施例の場合と異なるものであり、ここでは傘挿入口２２は収容袋２０の片方の側面の全長方向に開口する（図７参照）。上記傘挿入口２２の開口縁には第１実施例の場合と同様に係着手段として雌雄のファスナー２３Ａ、２３Ｂが設けられる。
【００１３】
図８及び図９はこの考案の折り畳み傘の第１考案の第３実施例を示す図である。この実施例においては傘収容袋３０の傘挿入口３２の構成が前記第１実施例の場合と異なるものであり、ここでは収容袋３０の天井面全面を開口することにより傘挿入口３２とすると共に、上記傘挿入口の開口縁を巾着状に緊締する手段が設けられるものであり、ここではそのような手段としてループ状の紐３３を採用している。尚、この実施例においては特に図示しないが、傘収容袋３０の径を傘挿入口３２に向かってコーン状に膨大することにより、折り畳んだ傘の収容及び反転による裏返しが容易となる。
【００１４】
図１０及び図１１はこの考案の折り畳み傘の第１考案の第４実施例を示す図である。この実施例においては傘収容袋４０の傘挿入口４２の構成が前記第１実施例の場合と異なるものであり、ここでは収容袋４０の天井面全面を開口することにより傘挿入口４２とすると共に、上記傘挿入口の開口に対してフラップ状の蓋片４３を設けている。尚、図中符号４４は上記蓋片４３を閉止状態で固定するためのスナップボタンである。
【００１５】
図１２及び図１３はこの考案の折り畳み傘の第２考案の第１実施例を示す図である。この考案においては、収容袋５０は天井面から片方の側面中途にかけてＪ字状に上方に向かって開口する傘挿入口５２を有すると共に、底部をハンドル３の下端に固着することによりハンドル及び中棒２に対して挿着される。図中符号５３Ａ、５３Ｂは傘挿入口の開口縁同士を係着する手段となる雌雄のファスナー５３Ａ、５３Ｂである。この考案のその余の構成は前記第１考案の場合と共通するので、その説明は省略する。
【００１６】
図１４及び図１５はこの考案の折り畳み傘の第２考案の第２実施例を示す図である。この実施例においては傘収容袋６０の傘挿入口６２を前記の第２考案の第３実施例のように、天井面全面を開口することにより構成し、開口縁を巾着状に緊締するためのループ状の紐３３を設けているが、更に傘収容袋６０の径を傘挿入口６２に向かってコーン状に膨大させている。
【００１７】
この実施例においては図１５に示すように、傘の使用時に下端に垂れ下がる収容袋６０は下が広がったマント状になるので、傘のハンドル３を人形の頭部を象ったものとすることにより全体として照る照る坊主を象った形状とすることが可能となり、意匠的な面白さも得ることができる。
【図面の簡単な説明】
【００１８】
【図１】第１考案の折り畳み傘の第１実施例の分解斜視図。
【図２】同上、傘を収容した状態の斜視図。
【図３】同上、傘を開いた状態の斜視図。
【図４】同上、傘を開いた状態の異なる使用例を示す要部の斜視図。
【図５】同上、傘を収容する途中の状態を示す斜視図。
【図６】第１考案の折り畳み傘の第２実施例の傘を収容した状態の斜視図。
【図７】同上、傘を収容する途中の状態を示す斜視図。
【図８】第１考案の折り畳み傘の第３実施例の収容袋の要部の斜視図。
【図９】同上、傘を収容した状態の斜視図。
【図１０】第１考案の折り畳み傘の第４実施例の傘を収容した状態の斜視図。
【図１１】同上、傘を収容する途中の状態を示す斜視図。
【図１２】第２考案の折り畳み傘の第１実施例の傘を収容した状態の斜視図。
【図１３】同上、傘を開いた状態の要部の斜視図。
【図１４】第２考案の折り畳み傘の第２実施例の収容袋の要部の斜視図。
【図１５】同上、傘を開いた状態の要部の斜視図。
【符号の説明】
【００１９】
１              傘本体
２              中棒
３              ハンドル
６              ランナー
１０            収容袋
１１            貫通穴
１２            傘挿入口
【図１】
0003120917.tif 000003
【図２】
0003120917.tif 000004
【図３】
0003120917.tif 000005
【図４】
0003120917.tif 000006
【図５】
0003120917.tif 000007
【図６】
0003120917.tif 000008
【図７】
0003120917.tif 000009
【図８】
0003120917.tif 000010
【図９】
0003120917.tif 000011
【図１０】
0003120917.tif 000012
【図１１】
0003120917.tif 000013
【図１２】
0003120917.tif 000014
【図１３】
0003120917.tif 000015
【図１４】
0003120917.tif 000016
【図１５】
0003120917.tif 000017